(57)【特許請求の範囲】
【請求項１】
基部と、
携帯無線通信装置の直径が８ｍｍ以上２０ｍｍ以下のアンテナの周面に当接する当接部と、
携帯無線通信装置の本体にコードを介して接続されるマイクが備えるクリップで挟持可能な被挟持部とを備え、
基部は、当接部がアンテナの周面に当接した状態で基部及び当接部をアンテナに結束する面ファスナのバンドを通すスリットを備え、
面ファスナのバンドによってアンテナに取り付けられる
携帯無線通信装置用アタッチメント。
【請求項２】
当接部は、アンテナの周面に当接する凹面状の端面を有する
請求項１に記載の携帯無線通信装置用アタッチメント。
【請求項３】
スリットは、当接部の端面に沿って湾曲ないし屈曲した断面形状を有する
請求項２に記載の携帯無線通信装置用アタッチメント。
【請求項４】
スリットは、所定間隔をあけて平行する第１スリット及び第２スリットを備える
請求項１ないし請求項３のいずれか１項に記載の携帯無線通信装置用アタッチメント。
【請求項５】
当接部、基部及び被挟持部は、この順に幅が狭くなる一体成型品であり、
被挟持部は、基部の先端側から延びる板状である
請求項１ないし請求項４のいずれか１項に記載の携帯無線通信装置用アタッチメント。
【発明の詳細な説明】
【技術分野】
【０００１】
本発明は、携帯無線通信装置のアクセサリパーツとして、携帯無線通信装置に取り付けられる携帯無線通信装置用アタッチメントに関する。
【背景技術】
【０００２】
携帯無線通信装置は、オプションとして、スピーカマイクを備えることがある。スピーカマイクは、コードのコード端子が携帯無線通信装置の本体のイヤホンマイク端子と接続されることにより、コードを介して携帯無線通信装置の本体に接続される。
【０００３】
スピーカマイクは、上述のとおり、オプションであるため、携帯無線通信装置の保管時において、どのように保管しておくかは特に考慮されていない。このため、スピーカマイクが乱雑に置かれると、コードが邪魔になるばかりでなく、コードが絡まるおそれやコードが破損するおそれがある。また、コードが邪魔にならないよう、コードを本体等に巻き付けると、コードが断線するおそれやコードが破損するおそれがある。
【０００４】
そこで、これらの問題を解決するために、特許文献１では、スピーカマイクを保持するマイク保持部を備え、スピーカマイク及びコードを整然としておくことができる充電器が提案されている。
【先行技術文献】
【特許文献】
【０００５】
【特許文献１】特開２０１１−２２９３４３号公報
【発明の概要】
【発明が解決しようとする課題】
【０００６】
しかし、特許文献１に記載された技術は、携帯無線通信装置を充電器にセットすることを前提として上記問題を解決するものである。したがって、まだ電池容量が残っているために充電を必要としない又はそもそも構造上充電を必要としない携帯無線通信装置を保管する場合や、充電器が近くにない場所で携帯無線通信装置を保管する場合は、上記問題を解決することができない。
【０００７】
そこで、本発明は、かかる事情に鑑みてなされたもので、携帯無線通信装置の本体にコードを介して接続されるマイクを固定するための携帯無線通信装置用アタッチメントを提供することを課題とする。
【課題を解決するための手段】
【０００８】
本発明に係る携帯無線通信装置用アタッチメントは、
基部と、
携帯無線通信装置の直径が８ｍｍ以上２０ｍｍ以下のアンテナの周面に当接する当接部と、
携帯無線通信装置の本体にコードを介して接続されるマイクが備えるクリップで挟持可能な被挟持部とを備え、
基部は、当接部がアンテナの周面に当接した状態で基部及び当接部をアンテナに結束する面ファスナのバンドを通すスリットを備え、
面ファスナのバンドによってアンテナに取り付けられる
携帯無線通信装置用アタッチメントである。
【０００９】
ここで、本発明に係る携帯無線通信装置用アタッチメントの一態様として、
当接部は、アンテナの周面に当接する凹面状の端面を有する
との構成を採用することができる。
【００１０】
この場合、
スリットは、当接部の端面に沿って湾曲ないし屈曲した断面形状を有する
との構成を採用することができる。
【００１１】
また、本発明に係る携帯無線通信装置用アタッチメントの他態様として、
スリットは、所定間隔をあけて平行する第１スリット及び第２スリットを備える
との構成を採用することができる。
【００１２】
また、本発明に係る携帯無線通信装置用アタッチメントの別の態様として、
当接部、基部及び被挟持部は、この順に幅が狭くなる一体成型品であり、
被挟持部は、基部の先端側から延びる板状である
との構成を採用することができる。
【発明の効果】
【００１３】
以上のように、本発明によれば、アタッチメントを介してマイクを携帯無線通信装置の本体に固定することができるため、アタッチメントさえあれば、どのようなときにでもマイク及びコードを整然としておくことができる。
【図面の簡単な説明】
【００１４】
【図１】図１は、本発明の一実施形態に係る携帯無線通信装置用アタッチメントが携帯無線通信装置のアンテナに取り付けられるとともに、携帯無線通信装置のスピーカマイクが同アタッチメントに固定された状態の斜視図である。
【図２】図２（ａ）は、同アタッチメントの正面図である。図２（ｂ）は、同アタッチメントの背面図である。図２（ｃ）は、同アタッチメントの左側面図である。図２（ｄ）は、同アタッチメントの右側面図である。
【図３】図３（ａ）は、同アタッチメントの平面図である。図３（ｂ）は、同アタッチメントの底面図である。図３（ｃ）は、同アタッチメントの図２（ａ）のＡ−Ａ線断面図である。図３（ｄ）は、同アタッチメントの図３（ａ）のＢ−Ｂ線断面図である。
【図４】図４（ａ）は、同アタッチメントの斜視図である。図４（ｂ）は、バンドの正面図である。図４（ｃ）は、同バンドを装着した同アタッチメントの斜視図である。
【図５】図５（ａ）〜（ｄ）は、同アタッチメントをアンテナに取り付ける手順の説明図である。
【図６】図６（ａ）は、同アタッチメントがアンテナに取り付けられた状態の斜視図である。図６（ｂ）は、スピーカマイクが同アタッチメントに固定された状態の斜視図である。
【発明を実施するための形態】
【００１５】
以下、本発明に係る携帯無線通信装置用アタッチメントの一実施形態について、図面を参酌して説明するが、これに先立ち、携帯無線通信装置の構成について、簡単に説明しておく。
【００１６】
図１に示すように、携帯無線通信装置１は、トランシーバ又は単に無線機とも呼ばれ、本体２と、アンテナ３とを備える。本体２は、ボタンキー等の入力部、スピーカ、マイク、表示部といった各種の機能部を備える。
【００１７】
本体２には、スピーカマイク４が接続される。スピーカマイク４は、コード５のコード端子が本体２のイヤホンマイク端子と接続されることにより、コード５を介して本体２に接続される。スピーカマイク４は、送信ボタン６、スピーカ７、マイク８といった各種の機能部を備える。スピーカマイク４は、送信ボタン６を押している時に音声送信状態となるプレストーク式である。スピーカマイク４は、たとえば背部や側部にクリップ９を備える。クリップ９は、スピーカマイク４を使用者の上衣等に止着するためのものである。
【００１８】
なお、図１においては、携帯無線通信装置１は、使用されておらず、充電器１０にセットされた状態にある。アンテナ３には、アタッチメント２０が取り付けられ、スピーカマイク４は、アタッチメント２０に固定されている。
【００１９】
図２及び図３に示すように、アタッチメント２０は、正面視において横長の矩形状を有し、硬質な樹脂材料を用いて成型された板状の樹脂成型品である。アタッチメント２０は、基部２１と、当接部２２と、被挟持部２３とを備える。
【００２０】
基部２１は、平面視において先端側に向かって次第に幅が狭くなる台形状を有し、正面視において所定の高さ寸法を有し、全体として、台形柱形状である。すなわち、基部２１は、先端側に向かって次第に幅が狭くなる台形状の断面形状を有する台形柱形状である。
【００２１】
当接部２２は、基部２１の基端側において基部２１と一体的に設けられる。当接部２２は、基部２１と同じ高さ寸法を有する。当接部２２は、基部２１よりも幅広に形成され、かつ、高さ方向に沿った線を中心線とする円弧面状の端面２２ａを有する。端面２２ａは、アンテナ３の周面に当接する部分で、アンテナ３の周面に対する当接面となる。アンテナ３は、円形の断面形状及びある程度の可撓性を有する丸棒のホイップアンテナであり、アンテナ３の直径は、一般的には、８ｍｍ以上ないし１０ｍｍ以上、２０ｍｍ以下ないし１５ｍｍ以下であるところ、端面２２ａの開き角度は、２０度以上４５度以下に設定され、端面２２ａは、アンテナ３の周面の円周の１／１８以上１／８以下の範囲に当接する。これにより、アタッチメント２０は、前後に傾くことなく、アンテナ３の軸線に沿って直立した状態で取り付けられる。
【００２２】
被挟持部２３は、基部２１の先端側において基部２１と一体的に設けられる。被挟持部２３は、基部２１と同じ高さ寸法を有する。被挟持部２３は、基部２１の先端側の幅よりも小さい所定の厚さ寸法を有する板状である。すなわち、被挟持部２３は、基部２１の先端側から延び、正面視において横長の矩形状を有する板状である。被挟持部２３の厚さは、１．０ｍｍ以上、より好ましくは１．５ｍｍ以上、３．０ｍｍ以下、より好ましくは２．０ｍｍ以下に設定される。被挟持部２３は、スピーカマイク４のクリップ９で挟持される部分であるところ、厚すぎると、クリップ９で挟みにくく、あるいはクリップ９の開きが大きくなって挟持力が落ちる。反対に薄すぎると、被挟持部２３の剛性が低下し、スピーカマイク４の荷重に耐える強度を確保できなくなる。これらの観点から、被挟持部２３の厚さは、上記の範囲に設定される。被挟持部２３の被挟持面（二つの板面）は、平坦面である。ただし、少なくとも一方の被挟持面は、クリップ９との係合を高めるために、複数の凸部、複数の凹部又は複数の凹凸部を備える非平坦面であってもよい。
【００２３】
このように、アタッチメント２０は、基端側（アンテナ３側）から先端側（アンテナ３から離れる側）にかけて、当接部２２、基部２１、被挟持部２３が一体的に設けられる。アタッチメント２０の幅は、当接部２２、基部２１、被挟持部２３の順に狭くなる。これにより、アタッチメント２０の幅は、基端側から先端側にかけて、３段階で変化する。
【００２４】
基部２１は、スリット（第１スリット２４及び第２スリット２５）を備える。スリット２４，２５は、基部２１の上端部及び下端部を除き、高さ方向に沿って縦長に形成される。スリット２４，２５は、基部２１を貫通する。スリット２４，２５は、所定間隔をあけて平行する。第１スリット２４は、当接部２２側に配置される。第２スリット２５は、被挟持部２３側に配置される。スリット２４，２５は、当接部２２の端面２２ａに沿って湾曲ないし屈曲した断面形状を有する。
【００２５】
図４に示すように、スリット２４，２５は、バンド２８を通すためのものである。バンド２８は、面ファスナのバンドであり、一方の面である第１面２８ａは、複数のフックで構成されるフック面であり、他方の面である第２面２８ｂは、複数のループで構成されるループ面である。バンド２８は、第１面２８ａが内側（アンテナ３側）となるように第１スリット２４に通される。このとき、第１スリット２４から出るバンド２８の一方の部分が第１スリット２４から出るバンド２８の他方の部分よりも短くなるようにする。また、上述のとおり、スリット２４，２５は、両開口端が基端側（アンテナ３側）に接近する湾曲ないし屈曲した形状である。このため、バンド２８は、第１スリット２４において、基端側（アンテナ３側）に湾曲ないし屈曲した状態となる。これにより、バンド２８の一方及び他方は、アンテナ３に接近し、巻き付けやすくなる。ただし、スリット２４，２５は、曲がらずに真っ直ぐなスリットであってもよい。
【００２６】
そして、図５（ａ）に示すように、当接部２２がアンテナ３の周面に当接した状態で、図５（ｂ）に示すように、バンド２８の一方がアンテナ３に巻き付けられ、次に、図５（ｃ）に示すように、バンド２８の他方がバンド２８の一方の上に重なるようにアンテナ３に巻き付けられる。これにより、バンド２８の一方の第２面２８ｂとバンド２８の他方の第１面２８ａとが係合し、基部２１及び当接部２２がアンテナ３に結束される。
【００２７】
図５（ｄ）に示すように、まだ余っているバンド２８の他方は、第２スリット２５に通される。そして、図６（ａ）に示すように、第２スリット２５から出るバンド２８の他方が自身の上に重なるようにアンテナ３に巻き付けられる。これにより、バンド２８の他方の第２面２８ｂとバンド２８の他方の第１面２８ａとが係合し、基部２１及び当接部２２がより強固にアンテナ３に結束される。なお、バンド２８をより強く締め上げて巻き付けることにより、結束力をさらに強固にすることができる。
【００２８】
以上の手順により、アタッチメント２０は、アンテナ３に強固に固定されて取り付けられる。この状態で、被挟持部２３は、アンテナ３の軸線と直交する方向にアンテナ３から突出する形態となる。そこで、図６（ｂ）に示すように、スピーカマイク４のクリップ９を開き、クリップ９で被挟持部２３を挟持することにより、スピーカマイク４は、被挟持部２３に固定される。
【００２９】
このように、本実施形態に係るアタッチメント２０によれば、アタッチメント２０を介してスピーカマイク４を携帯無線通信装置１の本体２に固定する（掛けておく）ことができる。このため、本実施形態に係るアタッチメント２０さえあれば、（携帯無線通信装置１が充電器１０にセットされているか否かに関わらずに）どのようなときにでもスピーカマイク４及びコード５を整然としておくことができる。また、これにより、コード５が邪魔になる、コード５が絡まるおそれがある、コード５が破損するおそれがある、コード５が断線するおそれがあるといった問題をすべて解決することができる。
【００３０】
また、本実施形態に係るアタッチメント２０によれば、当接部２２の凹面状の端面２２ａ、スリット２４，２５及び面ファスナのバンド２８の組み合わせにより、アンテナ３の直径が異なっていても、アタッチメント２０をアンテナ３に強固に固定して取り付けることができる。このため、本実施形態に係るアタッチメント２０によれば、直径が異なる様々なアンテナに装着することができる。
【００３１】
また、本実施形態に係るアタッチメント２０によれば、アタッチメント２０をアンテナ３の任意の高さ位置及び任意の向きに取り付けることができる。また、本実施形態に係るアタッチメント２０によれば、被挟持部２３は、スピーカマイク４のクリップ９で挟める十分な突出長さを有する。このため、本実施形態に係るアタッチメント２０によれば、スピーカマイク４を携帯無線通信装置１と干渉することなく固定することができる。
【００３２】
なお、本発明は、上記実施形態に限定されるものではなく、本発明の要旨を逸脱しない範囲で種々の変更が可能である。
【００３３】
たとえば、上記実施形態においては、アタッチメント２０への固定対象は、スピーカマイク４である。しかし、本発明は、これに限定されるものではない。アタッチメントへの固定対象は、スピーカを有さないマイクであってもよい。また、アタッチメントへの固定対象は、プレストーク式のマイクに限定されるものではない。
【００３４】
また、上記実施形態においては、基部２１と被挟持部２３とが幅の違いをもって明確な境界を有し、明確に区別されるものである。しかし、本発明は、これに限定されるものではない。基部と被挟持部とが明確な境界を有さないものであってもよい。
【００３５】
また、上記実施形態においては、当接部２２がアンテナ３の周面に好適にフィットするため、当接部２２の端面２２ａは、円弧状面（湾曲凹面）となっている。しかし、本発明は、これに限定されるものではない。当接部の端面は、たとえばＶ字状等の屈曲凹面であってもよい。
【００３６】
また、上記実施形態においては、アタッチメント２０をアンテナ３に固定して取り付ける固定手段として、面ファスナのバンド２８が用いられる。しかし、本発明は、これに限定されるものではない。固定手段は、公知となっている種々の採用可能なものを採用することができる。
【符号の説明】
【００３７】
１…携帯無線通信装置、２…本体、３…アンテナ、４…スピーカマイク、５…コード、６…送信ボタン、７…スピーカ、８…マイク、９…クリップ、１０…充電器、２０…アタッチメント、２１…基部、２２…当接部、２２ａ…端面、２３…被挟持部、２４…第１スリット、２５…第２スリット、２８…バンド、２８ａ…第１面、２８ｂ…第２面
【要約】
【課題】携帯無線通信装置の本体にコードを介して接続されるマイクを固定するための携帯無線通信装置用アタッチメントを提供する。
【解決手段】本発明に係る携帯無線通信装置用アタッチメント２０は、基部２１と、携帯無線通信装置のアンテナ３の周面に当接する当接部２２と、携帯無線通信装置の本体２にコード５を介して接続されるマイク４が備えるクリップ９で挟持可能な被挟持部２３とを備え、固定手段２８によってアンテナ３に取り付けられる。
【選択図】図６【図１】
0006830228.tif 000002
【図２】
0006830228.tif 000003
【図３】
0006830228.tif 000004
【図４】
0006830228.tif 000005
【図５】
0006830228.tif 000006
【図６】
0006830228.tif 000007